(57)【特許請求の範囲】
【請求項１】
両側に設けられた軒樋接続部と、屋外側側壁と、屋内側側壁と、平面状の底面と、この底面に窪んだピット部とからなり、このピット部のほぼ中央部に落し口が設けられ、ピット部の屋外側の左右のコ−ナ−部より屋外側側壁までの底面に溝が設けられていることを特徴とする樋集水器。
【発明の詳細な説明】
【０００１】
【発明の属する技術分野】
本発明は、軒樋を流れる雨水を軒樋から竪樋に落す時に使用される樋集水器に関する。
【０００２】
【従来の技術】
従来、軒樋を流れる雨水を軒樋から竪樋に落す時に使用される樋集水器には色々な種類のものがある。中でも、実開平２−６８０２１号公報記載の樋集水器が知られている。
実開平２−６８０２１号公報記載の樋集水器は、筒状落し口の外側に鍔と上方に透孔と下方外周に雄ネジ部とを有した継手体と、ほぼ中央部に取付孔と取付孔の外側に流入口とを有した挟着板と、窪んだピット部の底面に落し口とピット部内に雌ネジ筒とを有したドレン体とからなり、軒樋の通孔部の上面に挟着板を、又、その下面にはドレン体をそれぞれ当接し、継手体の筒状落し口の下方部を挟着板の取付孔からドレン体の雌ネジ筒に螺入した樋集水器である。
この樋集水器は、軒樋の通孔部の底面を挟着板とドレン体とで挟んで、軒樋と樋集水器を接続し、ドレン体の接続口に竪樋を接続して使用されるもので、軒樋内の雨水が継手体の筒状落し口と、挟着板の流入口の両方から排水できるようにしているから、降水量が多い場合でも、雨水が軒樋から溢れたりしない。
【０００３】
【発明が解決しようとする課題】
上記の実開平２−６８０２１号公報に記載のものでは、軒樋内の雨水は、継手体の筒状落し口と、挟着板の流入口の両方から竪樋に排水され、又、窪んだピット部に流れた雨水は底面に落し口を通って竪樋に排水される。
しかしながら、軒樋の通孔部の底面を挟着板とドレン体とで挟んで、軒樋と樋集水器を接続しているだけで、夏冬や昼夜の温度差によって軒樋が膨張収縮してもよいように、軒樋が摺動できる状態になっているため、軒樋と樋集水器の底面との間の隙間があり、ドレン体のピット部の外側の上端面に溜まった雨水は、軒樋と樋集水器の底面の隙間を通って漏水するという問題がある。
【０００４】
本発明の目的は、上記問題に着目してなされたもので、軒樋と樋集水器を接続している部分から漏水しない樋集水器を提供するものである。
【０００５】
【課題を解決するための手段】
本発明は上記の目的を達成するためになされたもので、両側に設けられた軒樋接続部と、屋外側側壁と、屋内側側壁と、平面状の底面と、この底面に窪んだピット部とからなり、このピット部のほぼ中央部に落し口が設けられ、ピット部の屋外側の左右のコ−ナ−部より屋外側側壁までの底面に溝が設けられているものである。
【０００６】
本発明の樋集水器の材質は、合成樹脂、金属が使用されるが、軽量、防錆の点で合成樹脂がよく、合成樹脂の中でも、硬質塩化ビニル樹脂が好ましい。
又、樋集水器が合成樹脂の場合には、この樋集水器を射出成形法で製造すると、両側端部に設けられた軒樋接続部と、屋外側側壁と、屋内側側壁と、底面に窪んだピット部と、このピット部の落し口と、溝とが一体成形できるので、好ましい。
又、この溝の形状は、適宜でよく、例えば、半円形状、半角形状でもよいが、半円形状にすると、雨水が溝の角部に溜まらず、ピット部に流れやすく都合がよい。
又、この溝を平面状の底面だけでなく、少なくとも軒樋の厚み分の高さだけ屋外側側壁にも設けておくと、屋外側側壁に伝わる雨水も溝の中に流れ込み、樋集水器から外に漏水しないので、都合がよい。
又、図３に示すように、樋集水器の屋外側側壁に段差があるような場合は、ほぼ水平面で、雨水が溜まりやすい場所では、屋外側側壁に溝を設けておくと、更に都合がよい。
【０００７】
ピット部にド−ム状の網状体を被せてにしておくと、雨水と一緒に流れている枯葉やゴミ等は網状体でせき止められ、竪樋内に流れず、竪樋詰まりを防止することができるので都合がよい。
【０００８】
（作用）
本発明の樋集水器は、図２に示す如く、軒樋の端が、樋集水器の一方の軒樋接続部に設けられた溝の内側にくるように、軒樋の一方の端部を樋集水器の一方の端部の軒樋接続部の上面に当接し、隣の軒樋の端が、樋集水器の他方の端部の軒樋接続部に設けられた溝の内側にくるように、隣の軒樋の端部を樋集水器の他方の端部の軒樋接続部の上面に当接して、軒樋と樋集水器とを摺動可能に接続する。
すると、軒樋と樋集水器の底面との間に微細な隙間があり、この隙間に雨水がしみ込むが、本発明では、ピット部の屋外側の左右のコ−ナ−部より屋外側側壁までの底面に溝が設けられているから、しみ込んだ雨水は、この溝に当たり溝の中に入り、溝を伝ってピット部に還流し、樋集水器の外に漏水しない。
【０００９】
【発明の実施の形態】
本発明の実施例を図１及び図２に基づいて説明する。
図１は樋集水器の斜視説明図、図２は樋集水器の軒樋接続部に軒樋の端部が接続された状態を示した説明図である。
【００１０】
Ａは樋集水器であり、この樋集水器Ａは硬質塩化ビニル樹脂製で、軒樋を接続する軒樋接続部１、１と、屋外側側壁２と、屋内側側壁３と、平面状の底面４と、この底面４に箱状に窪んだピット部５とからなっている。
この箱状に窪んだピット部５のほぼ中央部に落し口６が設けられ、この落し口６の下端部に竪樋接続部７が設けられている。
ピット部５の屋外側の左右のコ−ナ−部より屋外側側壁２までの平面状の底面４と、軒樋の厚み分の高さだけ屋外側側壁２の内側とに半円形状の溝８、８（約５mm幅）が設けられているものである。
【００１１】
次に、樋集水器Ａの施工方法及び作用について説明する。
樋集水器Ａの取付位置を決める。
次に、樋集水器Ａの一方の端部の軒樋接続部１の上面に、軒樋の端部を押しつけながら、樋集水器Ａの屋内側取付部１０に軒樋の屋内側上端部を嵌め込む。
次に、樋集水器Ａの屋外側取付部１１に、軒樋の屋外側上端部を嵌め込んで、樋集水器Ａの一方の端部を軒樋に取り付ける。
この時、軒樋の端が、平面状の底面４に設けられた半円形状の溝８より約５mm内側に入り込むようにする。
【００１２】
次に、樋集水器Ａの他方の端部の軒樋接続部１の上面に、隣の軒樋の端部を押しつけながら、樋集水器Ａの屋内側取付部１０に、軒樋の屋内側上端部を嵌め込む。
次に、樋集水器Ａの屋外側取付部１１に、軒樋の屋外側上端部を嵌め込んで、樋集水器Ａの一方の端部を軒樋に取り付ける。
同様に、この時、軒樋の端が、平面状の底面４に設けられた半円形状の溝８より約５mm内側に入り込むようにする。
【００１３】
このようにして、樋集水器Ａの一方の端部と他方の端部に隣り合った軒樋の端部を取り付け、軒樋と樋集水器Ａとを摺動可能に接続する。
次に、丸形の竪樋の内周面に、接着剤を塗布し、樋集水器Ａの落し口６の下端部に竪樋接続部７に、竪樋を差し込んで、樋集水器Ａに竪樋を接着する。
【００１４】
このように、樋集水器Ａに軒樋を取り付けると、夏冬や昼夜の温度差によって軒樋が膨張収縮しても、軒樋が樋集水器Ａの中を摺動して軒樋や樋集水器Ａが破損しない。
しかし、樋集水器Ａでは、軒樋と樋集水器Ａの底面との間に微細な隙間があり、この隙間に雨水がしみ込むが、ピット部５の屋外側の左右のコ−ナ−部より屋外側側壁までの底面４と、軒樋の厚み分の高さだけ屋外側側壁２の内側とに半円形状の溝８が設けられているから、しみ込んだ雨水は、この溝８に当たり溝８の中に入り、溝８を伝ってピット部５に還流し、樋集水器Ａの外に漏水しない。
【００１５】
次に、本発明の他の実施例を図３に基づいて説明する。
図３は樋集水器の屋外側側壁に段差がある場合で、段差水平面と屋外側側壁に溝が設けられている状態を示す斜視説明図である。
図１に示す樋集水器Ａと異なるところは、樋集水器Ｂの屋外側側壁に段差があるところが異なり、その他の構造、使用方法と作用は殆ど同じであるので、この異なるところのみを説明し、その他の説明は省略する。
【００１６】
樋集水器Ｂの屋外側側壁２Ａに段差があり、ピット部５Ａの屋外側の左右のコ−ナ−部より屋外側側壁２Ａまでの底面４Ａと、屋外側側壁２Ａの内側とに半円形状の溝８Ａを設けられている。
【００１７】
このように、ピット部５Ａの屋外側の左右のコ−ナ−部より屋外側側壁２Ａまでの底面４Ａと、屋外側側壁２Ａの内側とに半円形状の溝８Ａが設けられているから、しみ込んだ雨水は、屋外側側壁２Ａの内側とに半円形状の溝８Ａに当たり溝８Ａの中に入り、溝８Ａを伝ってピット部５Ａに還流し、樋集水器Ａの外に漏水しない。
【００１８】
以上、本発明実施例を図面に基づいて説明してきたが、具体的な構成はこの実施例の限られるものではなく本発明の要旨を逸脱しない範囲の設計変更等があっても本発明に含まれる。例えば、ピット部５にド−ム状の網状体を被せて、雨水と一緒に流れている枯葉やゴミ等を網状体で溜めるようにして、溜まった枯葉やゴミ等を取り除くようにしてもよい。
又、溝８、８Ａの形状は半円形状であるが、半角状であってもよい。
又、竪樋接続部７の形状は、接続される竪樋の形状に合わせて取り付けることができるように、内側筒と外側筒とからなる二重構造にして、竪樋が丸形であれば、竪樋接続部７の内側筒に竪樋を差し込み、竪樋が角形であれば、竪樋接続部７の外側筒に竪樋を差し込むようにしてもよい。
【００１９】
【発明の効果】
以上、説明してきたように、本発明の樋集水器は、ピット部の屋外側の左右のコ−ナ−部より屋外側側壁までの底面に溝が設けられているから、樋集水器のピット部の外側の平面状の底面にしみ込んで、雨水は溝の中に入り、溝を伝ってピット部に還流することにより、樋集水器の外に漏水せず、簡便な樋集水器である。
【００２０】
【図面の簡単な説明】
【図１】本発明の実施例を示すもので、樋集水器の斜視説明図である。
【図２】樋集水器の軒樋接続部に軒樋の端部が接続された状態を示した説明図である。
【図３】樋集水器の屋外側側壁に段差がある場合で、段差水平面と屋外側側壁に溝が設けられている状態を示す斜視説明図である。
【符号の説明】
Ａ、Ｂ            樋集水器
１                軒樋接続部
２、２Ａ          屋外側側壁
３                屋内側側壁
４、４Ａ          底面
５、５Ａ          ピット部
６                落し口
７                竪樋接続部
８、８Ａ          溝
９                軒樋
１０              屋内側取付部
１１              屋外側取付部
【図１】
0003701748.tif 000002
【図２】
0003701748.tif 000003
【図３】
0003701748.tif 000004